(57)【要約】      （修正有）【課題】かごの停止する階床の増加に伴って行先階釦が増加しても、操作し易いエレベータの操作盤を得る。【解決手段】かごの停止する階床に対応して設けられた行先階釦２０によって行先階を登録するエレベータの操作盤１に係るものであって、回転軸１１に軸支されて回動する柱状の回転体５の柱面６ａ、６ｂに、回転軸１１に並行する方向へ向けて複数列に分けて行先階釦２０が列設され、回転体５を隠蔽するフェースプレート３を切り欠いて形成された開口４から一部の行先階釦列２１、２２を露出させ、他の行先階釦列２３、２４はフェースプレート３に隠蔽され、回転体５の回動によって露出するようにした。【選択図】図４
2006240789.tif 000002
【特許請求の範囲】
【請求項１】
エレベータのかごの行先階を登録する行先階釦が設けられたエレベータの操作盤において、回転軸に軸支されて回動する柱状の回転体の柱面に、上記回転軸に並行する方向へ向けて複数列に分けて上記行先階釦が列設され、上記回転体を隠蔽するフェースプレートを切り欠いて形成された開口から一部の上記行先階釦列を露出させ、上記フェースプレートに隠蔽された他の上記行先階釦列は、上記回転体の回動によって露出するようにしたエレベータの操作盤。
【請求項２】
回転体を円柱とした請求項１に記載のエレベータの操作盤。
【請求項３】
回転体を多角柱とし、この多角柱の柱面の少なくとも二面に行先階釦が列設され、かつ、上記柱面毎に上記行先階釦列がフェースプレートの開口から露出するものとした請求項１に記載のエレベータの操作盤。
【請求項４】
回転体を三角柱とした請求項３に記載のエレベータの操作盤。
【請求項５】
回転体は、釦操作によって作動する駆動手段に駆動されて回動するものとした請求項１に記載のエレベータの操作盤。
【請求項６】
駆動手段は、釦操作に加えて、かごの運転方向前方の行先階釦が含まれる行先階釦列がフェースプレートの開口から露出するように、上記かごの位置と上記運転方向によっても回転体を回動させるものとした請求項５に記載のエレベータの操作盤。
【発明の詳細な説明】
【技術分野】
【０００１】
この発明は、エレベータのかごの行先階を登録する行先階釦が設けられたエレベータの操作盤に係るものである。
【背景技術】
【０００２】
図１３は、従来のエレベータのかご操作盤の正面である。
図１３（ａ）は、停止階が１階から４階のエレベータのかご操作盤８１を例示したものであり、図１３（ｂ）は、停止階が１階から１２階のエレベータのかご操作盤８２を例示したものである。
各かご操作盤８１、８２には、かごの行先階を登録する行先階釦２０、戸閉を指令する戸閉釦３３、戸開を指令する戸開釦３４、かご内から外部を呼び出すインターホン釦３１、外部と通話をするためのスピーカ３２及び各種の操作スイッチが収納されたスイッチボックス３５が設けられている。これらの操作器具は、かご操作盤８１、８２の正面を形成するフェースプレート８３、８４から操作部を露出させている。
ところで、エレベータは公共の交通機関となっており、その利用者は子供から老人まで広範囲に亘っている。こうした利用客に対して、エレベータの操作盤は利用し易いものであることが求められる。
【０００３】
そこで、各操作器具は、行先階釦２０群の中心が、かご床３６から所定の高さＨｏになるようにして、上下に分散されて設置されている。即ち、かご操作盤８１では、戸閉釦３３及び戸開釦３４は、行先階釦２０群よりも低位の高さＨｂ１の位置に、また、インターホン釦３１は行先階釦２０群よりも上位の高さＨｔ１の位置に取り付けられる。かご操作盤８１は行先階釦２０が少ないので、戸閉釦３３、戸開釦３４及びインターホン釦３１は、いずれも所定の高さＨｏに近い位置に設けられている。このため、かご操作盤８１は、広い年齢層に亘って操作し易いものとなる。
一方、かご操作盤８２は、停止階が多いので、行先階釦２０は上下に広い範囲に亘って分散して取り付けられる。従って、かご操作盤８２は大型化し、戸閉釦３３及び戸開釦３４は、かご操作盤８１における高さＨｂ１よりも低位の高さＨｂ２の位置に取り付けられる。また、インターホン釦３１は、かご操作盤８１における高さＨｔ１よりも上位の高さＨｔ２の位置に取り付けられる。このため、広い年齢層の利用者を対象とした場合、かご操作盤８２の戸閉釦３３、戸開釦３４及びインターホン釦３１は、必ずしも操作し易いとは言えない。
上記のように、停止階の増加に伴うかご操作盤の大型化を避けるため、階床名の１桁を指定する釦と、１０桁を指定する釦を並設しておいて、両者を組み合わせて操作することによって目的の行先階を登録するようにしたものもある（例えば、特許文献１参照）。
【０００４】
【特許文献１】特開平８−６７４３６号公報（段落番号２３、２４、図２）
【発明の開示】
【発明が解決しようとする課題】
【０００５】
従来のエレベータの操作盤は、上記のとおり構成されており、エレベータの停止階の増加に伴う行先階釦２０の増加によって、かご操作盤が大型化し、操作器具が分散配置されて操作し難くなる、という問題があった。
また、特許文献１に記載されたかご操作盤は、１桁代の階床名の釦と１０桁を示す釦の双方を操作することによって行先階を指定するものであり、操作が面倒である、という問題があった。
更に、階床名は、必ずしも全て数字で表されるとは限らない。例えば、地下階は、アルファベットの「Ｂ」を付し、地下１階は「Ｂ１」と表すことがある。このような場合、特許文献１に記載されたかご操作盤によると、地下階の行先階釦は、別途設置する必要がある。このため、かご操作盤の釦の配置が煩雑になると共に、釦の機能が多種類になり、広い年齢層の利用者を対象とした場合、必ずしも操作し易いとは限らない、という問題もあった。
【０００６】
この発明は、上記問題点を解決するためになされたものであり、かごの停止する階床の増加に伴って行先階釦が増加しても、操作し易いエレベータの操作盤を提供することを目的とする。
【課題を解決するための手段】
【０００７】
この発明に係るエレベータの操作盤は、かごの停止する階床に対応して設けられた行先階釦によって行先階を登録するものであって、回転軸に軸支されて回動する柱状の回転体の柱面に、回転軸に並行する方向へ向けて複数列に分けて行先階釦が列設され、回転体を隠蔽するフェースプレートを切り欠いて形成された開口から一部の行先階釦列を露出させ、他の行先階釦列はフェースプレートに隠蔽され、回転体の回動によって露出するようにしたものである。
【発明の効果】
【０００８】
この発明に係るエレベータの操作盤は、柱状の回転体の柱面に行先階釦を列設して立体的な配置にしたので、限られた上下の空間内に多数の行先階釦を設置することができる。このため、行先階釦が多い場合でも、操作盤に取り付けられる操作器具が、上下に広範囲に分散することはなく、所定の位置に集中させることができるので、広い年齢層の利用者に対して操作し易いエレベータの操作盤を提供することができる、という効果を奏する。
また、行先階釦の数が増えても、フェースプレートの開口から露出するのは、一部の行先階釦列に限られるので、目的とする行先階釦を容易に見付け出すことができる、という効果も奏する。
【発明を実施するための最良の形態】
【０００９】
以下、図面を参照して、この発明の実施の形態について説明する。なお、各図中、同一又は相当する部分には同一符号を付し、説明の重複を省いた。
実施の形態１．
図１から図６は、この発明の実施の形態１を示す。
図１は、エレベータの操作盤、特に、かご内に設置されるかご操作盤１の正面図である。このかご操作盤１は、停止階が１階から１２階までのエレベータに設置されるものである。この内の１階から６階を行先階として登録するための行先階釦２０が露呈された状態を示す。行先階釦２０の他に、戸閉を指令する戸閉釦３３、戸開を指令する戸開釦３４、かご内から外部を呼び出すインターホン釦３１、外部と通話をするためのスピーカ３２及び各種の操作スイッチが収納されたスイッチボックス３５が設けられている。
【００１０】
ここで、行先階釦２０は、回転体である三角柱５の柱面のうち、二面に取り付けられている。図１では、三角柱５の第１柱面６ａに取り付けられた行先階釦２０を示す。即ち、１階から６階までの行先階釦２０群と、三角柱５を回動させて第２柱面６ｂを露出させるための回転体操作釦２７ａと、回転体操作釦２７ａの説明板２８ａが取付けられている。
なお、第１柱面６ａに取り付けられた行先階釦２０群は、１階、３階及び５階の行先階釦２０を一群として回転軸に並行する方向、即ち、上下方向へ向けて列設された第１釦列２１と、２階、４階及び６階の行先階釦２０を一群として同様に列設された第２釦列２２からなっている。
これらの各操作器具は、ケース２に納められてフェースプレート３で覆われており、操作部をフェースプレート３から露出させている。
三角柱５は、フェースプレート３を切り欠いて形成された開口４から第１柱面６ａ及び第２柱面６ｂを露出させるようになっており、図１では、第１柱面６ａを露出させた状態を示す。このため、第１釦列２１及び第２釦列２２、即ち、１階から６階までの行先階釦２０を操作することができる。
【００１１】
図２は、三角柱５が回動して第２柱面６ｂを露出させたかご操作盤１の正面図である。第２柱面６ｂには第３釦列２３と、第４釦列２４と、三角柱５を回動させて第１柱面６ａを露出させるための回転体操作釦２７ｂと、回転体操作釦２７ｂの説明板２８ｂが取り付けられている。第３釦列２３は、回転軸に並行する方向、即ち、上下方向へ向けて列設された７階、９階及び１１階の行先階釦２０を一群とする釦列で構成されている。また、第４釦列２４は、同様に８階、１０階及び１２階を一群として列設された釦列で構成されている。
【００１２】
図３は、図１のＩＩＩ−ＩＩＩ線断面を矢視したかご操作盤１の縦断面図である。各操作器具は、ケース２内に収納されており、ケース２の開口部はフェースプレート３で覆われている。三角柱５の上位には電動機９がブラケット１０に取り付けられている。ブラケット１０はインターホン釦３１を跨いでフェースプレート３の背面に固着されている。電動機９の回転軸１１は、下方へ向けて延設されており、三角柱５が固着されて回動するようになっている。軸端はフェースプレート３の背面に突設された軸支え１２によって支持されている。
電動機９は、制御部１３によって制御されて回動する。即ち、回転体操作釦２７ａ、２７ｂが操作されると、制御部１３が電動機９を制御して三角柱５を駆動し、第１柱面６ａ又は第２柱面６ｂをかご操作盤１の正面に露呈させる。なお、電動機９及び制御部１３は、回転体である三角柱５を駆動する駆動手段として機能する。
【００１３】
図４は、図１のＩＶ−ＩＶ線断面を矢視したかご操作盤１の横断面図、図５は、三角柱５の斜視図である。両図において、第１柱面６ａと第２柱面６ｂは、それぞれ別体の板材からなり、一側の端縁が背面側へ屈曲されている。また、第１柱面６ａと第２柱面６ｂの背面には、上下両端部に、それぞれ一対の取付金１５が固着されている。三角柱５の上板７と底板８は、正三角形に形成されており、上板７は第１柱面６ａ及び第２柱面６ｂの上端側の取付金１５に上側から載置されてねじ１６によって緊締される。底板８は第１柱面６ａ及び第２柱面６ｂの下端側の取付金１５に下側から当接されてねじ１６によって緊締される。第３柱面６ｃは、第１柱面６ａと第２柱面６ｂの屈曲部にねじ１６で緊締されている。従って、第１柱面６ａと第２柱面６ｂは、上板７及び底板８を介して固着され、第３柱面６ｃは、直接第１柱面６ａと第２柱面６ｂに固着されて三角柱５を形成している。なお、第３柱面６ｃには各釦へ接続されたリード線１７が貫通している。また、上板７及び底板８は回転軸１１に固着されて回動するようになっている。
【００１４】
三角柱５は、既に述べたとおり、回転体操作釦２７ａ及び２７ｂを操作することによって回動する。更に、かごの位置と運転方向によっても三角柱５は回動し、図６は、その三角柱５の回動を示す説明用図である。なお、かごは、１階４１から１２階５２までを昇降するものとする。
１．上昇運転の場合
１．１）かごが、１階４１から５階４５の階床域に位置している場合
三角柱５は、回転体操作釦２７ａ及び２７ｂの操作によって回動して、第１柱面６ａ及び第２柱面６ｂの何れの柱面も露出させることができる。従って、利用客は、運転方向前方の行先階釦２０を全て操作対象にすることができる。
１．２）かごが、６階４６から１２階５２の階床域に位置している場合
三角柱５は、かごが１階４１から５階４５の階床域に位置しているときから既に第２柱面６ｂを露出させている場合は、そのままの状態を維持する。１階４１から５階４５の階床域では第１柱面６ａを露出させていて、そのままの状態で上昇して、かごが６階４６の階床域に入ると、三角柱５は回動して第２柱面６ｂに切り替えて行先階釦２０を露出させる。即ち、運転方向前方の行先階釦２０が含まれる柱面のみが露出して操作対象となる。このとき、第２柱面６ｂの回転体操作釦２７ｂを操作しても、第１柱面６ａへは切り替わらない。
【００１５】
２．下降運転の場合
２．１）かごが、８階４８から１２階５２の階床域に位置している場合
三角柱５は、回転体操作釦２７ａ及び２７ｂの操作によって回動して、第１柱面６ａ及び第２柱面６ｂの何れの柱面も露出させる。従って、利用客は、運転方向前方の行先階釦２０を全て操作対象にすることができる。
２．２）かごが、１階４１から７階４７の階床域に位置している場合
三角柱５は、かごが８階４８から１２階５２の階床域に位置しているときから既に第１柱面６ａを露出させている場合は、そのままの状態を維持する。８階４８から１２階５２の階床域では第２柱面６ｂを露出させていて、そのままの状態で下降して、かごが７階４７の階床域に入ると、三角柱５は回動して第１柱面６ａに切り替えて行先階釦２０を露出させる。即ち、運転方向前方の行先階釦２０が含まれる柱面のみが露出して操作対象となる。このとき、第１柱面６ａの回転体操作釦２７ａを操作しても、第２柱面６ｂへは切り替わらない。
【００１６】
３．かごが待機状態の場合
待機状態では、運転方向は決定していない。このため、回転体操作釦２７ａ及び２７ｂの操作によって、三角柱５は回動して、第１柱面６ａ及び第２柱面６ｂの何れの柱面も露出させることができる。従って、利用客は、行先階釦２０を全て操作対象にすることができる。但し、行先階釦２０が操作されて運転方向が決定されると、そのときのかごの位置によって、三角柱５は上記１項及び２項に記載した動作をする。
【００１７】
上記実施の形態１に記載のかご操作盤１よれば、三角柱５の第１柱面６ａ及び第２柱面６ｂに行先階釦２０を列設して立体的に配置にしたので、限られた上下の空間内に多数の行先階釦２０を設置することができる。このため、行先階釦２０が多い場合でも、かご操作盤１に取り付けられる操作器具が、上下に広範囲に分散することはないので、かご操作盤１は広い年齢層の利用者に対して操作が容易なものとなる。
また、行先階釦２０の数が１２個であっても、フェースプレート３の開口４から露出するのは、６個の行先階釦が２列の行先階釦列２１、２２又は２３、２４に分けられるので、目的とする行先階釦２０を容易に見付け出すことができる。
更に、フェースプレートに隠蔽された他の行先階釦列２１、２２又は２３、２４は、回転体操作釦２７ａ、２７ｂの操作によって容易に開口４に露出させることができるので、操作の容易性を損なうものではない。
更にまた、運転方向前方の行先階釦２０が含まれる柱面のみが露出するようにしたので、利用者が、運転方向と反対の方向に位置する背後の行先階釦２０を操作するのを阻止することができ、かごの動きに対応した操作が可能となる。
【００１８】
実施の形態２．
この実施の形態２では、停止階が１階から１８階までのエレベータに取り付けられるかご操作盤５４であって、三角柱５５の柱面の全ての面に行先階釦２０が取り付けられたものについて述べる。
図７及び図８は、この発明の実施の形態２を示し、図７は、かご操作盤の横断面図、図８は、三角柱５５の斜視図である。
即ち、各柱面５６ａ、５６ｂ及び５６ｃは、平板で構成され、三角柱５５の各角部に立設された隅柱５７にねじ１６で固定される。更に、上板７及び底板８も隅柱５７にねじ１６で固定されて三角柱５５が構成されている。なお、リード線１７は、底板８を貫通して各操作釦に接続されている。
【００１９】
第１柱面５６ａには、１階から６階の行先階釦２０と、第２柱面５６ｂへ切り替えるための回転体操作釦２７ａが取り付けられている。第２柱面５６ｂには、７階から１２階の行先階釦２０と、第２柱面５６ｂ又は第３柱面５６ｃへ切り替えるための回転体操作釦（図示しない。）が取り付けられている。各柱面５６ａ、５６ｂには、実施の形態１と同様に、第１釦列２１、第２釦列２２、第３釦列２３及び第４釦列２４が形成されている。
第３柱面５６ｃには、１３階から１８階の行先階釦と、第２柱面５６ｂへ切り替えるための回転体操作釦２７ｃが取り付けられている。ここで、１３階、１５階及び１７階の行先階釦２０を一群として列設されて第５釦列２５が構成されている。また、１４階、１６階及び１８階の行先階釦２０を一群として列設されて第６釦列２６が構成されている。
なお、三角柱５５は、実施の形態１と同様に、回転体操作釦２７ａ及び２７ｃによっても回動し、また、かごの位置と運転方向によっても回動する。
【００２０】
上記実施の形態２によれば、三角柱５５の柱面５６ａ、５６ｂ及び５６ｃに、それぞれ行先階釦２０を列設して立体的に配置にしたので、実施の形態１よりも更に多くの行先階釦２０を、限られた上下の空間内に設置することができる。このため、かご操作盤５４に取り付けられる操作器具が、上下に広範囲に分散することはないので、広い年齢層の利用者に対して操作がし易いものとなる。
また、フェースプレート３の開口４から露出するのは、６個の行先階釦２０であるから、目的とする行先階釦２０を容易に見付け出すことができる。
更に、フェースプレートに隠蔽された他の行先階釦列２１、２２、２３、２４又は２５、２６は、実施の形態１と同様に、回転体操作釦２７ａ、２７ｃの操作によって容易に開口４に露出させることができるので、操作の容易性を損なうものではない。
更にまた、実施の形態１と同様に、運転方向前方の行先階釦２０が含まれる柱面のみが露出するようにすれば、利用者が、運転方向と反対の方向に位置する背後の行先階釦２０を操作するのを阻止することができ、かごの動きに対応した操作が可能となる。
なお、上記実施の形態１及び２では、回転体を三角柱としたが、これに限られるものではなく、四角柱でもよく、更に多くの柱面を備えた多面体であってもよい。
【００２１】
実施の形態３．
この実施の形態３におけるエレベータの操作盤は、回転体を円筒柱としたかご操作盤６１であって、停止階が１階から２４階までのエレベータに取り付けられるものを示す。
図９から図１２は、この発明の実施の形態３を示す。
図９は、かご操作盤６１の正面図であって、１階から６階を行先階として登録するための行先階釦２０が露呈された状態を示す。円筒柱６５は、上面に円形の上板６７と底面に同じく底板６８を備えており、それぞれ取付金６９が４箇所固着されている。開口４の上部のフェースプレート３には、円筒柱６５を回動させて上方階の行先階釦２０を露出させるための回転体操作釦６２と、下方階の行先階釦２０を露出させるための回転体操作釦６３が取り付けられている。
【００２２】
図１０は、図９のＸ−Ｘ線断面を矢視したかご操作盤６１の横断面図である。
柱面は、横断面が半円形をした第１柱面６６ａと第２柱面６６ｂが、凹面を対向させて上板６７と底板６８の取付金６９に、皿ねじ７０によって取り付けられている。上板６７及び底板６８は回転軸１１に固着されており、この回転軸１１に駆動されて回動する。
円筒柱６５の柱面には、上下方向へ向けて列設された３個の行先釦２０を一群とする第１釦列７１から第８釦列７８が柱面に分散させて取り付けられている。
即ち、図１１に示したとおり、第１釦列７１は１階から３階の行先階釦２０を一群とし、第２釦列７２は４階から６階の行先階釦２０を一群とし、第３釦列７３は７階から９階の行先階釦２０を一群とし、第４釦列７４は１０階から１２階の行先階釦２０を一群とし、第５釦列７５は１３階から１５階の行先階釦２０を一群とし、第６釦列７６は１６階から１８階の行先階釦２０を一群とし、第７釦列７７は１９階から２１階の行先階釦２０を一群とし、第８釦列７８は２２階から２４階の行先階釦２０を一群とする。
【００２３】
円筒柱６５は、回転体操作釦６２及び６３の操作によって、又は、図６に示したとおり、運転方向とかごの位置によって回動する。
図１１及び図１２は、かご操作盤６１の開口４部分の正面図で、円筒柱６５の回動する態様を示す。
図１１は、行先階釦２０群が２列ごとに切り替わるように円筒柱６５が回動する場合の行先階釦２０の表示態様を示す。
図１２は、行先階釦２０群が１列ごとに切り替わるように円筒柱６５が回動する場合の行先階釦２０の表示態様を示す。
図１１の場合は、行先階釦２０群が２列ごとに切り替わるので、行先階が遠方の場合でも、回転体操作釦６２及び６３によって対応する行先階釦２０を、短時間で開口４に露出させることができる。
また、図１２の場合は、行先階釦２０群が１列ごとに切り替わるので、行先階釦２０の露出時間が長い。このため、行先階釦２０を操作し損なうのを防止することができる。特に、運転方向とかごの位置に追随させて切り替える場合に採用すれば、開口４の行先階釦２０によってかごの概略の位置を把握することもできる。
【００２４】
上記実施の形態３によれば、円筒柱６５の柱面６６の全面に行先階釦２０を配置したので、特に停止階が多い場合でも、限られた上下の空間内に行先階釦２０を取り付けることができる。このため、操作器具が、上下に広範囲に分散することはないので、広い年齢層の利用者に対して操作がし易い。
また、目的の行先階釦２０を露出させる場合は、同一の回転体操作釦６２又は６３を繰り返し操作すれば、図１１又は図１２に示す順番で行先階釦２０が現れるので、容易に行先階釦２０を露出させることができる。
更に、実施の形態１と同様に、運転方向前方の行先階釦２０が含まれる柱面のみが露出するようにすれば、利用者が、運転方向と反対の方向に位置する背後の行先階釦２０を操作するのを阻止することができ、かごの動きに対応した操作が可能となる。
なお、上記各実施の形態では、エレベータの操作盤を、かご操作盤として述べたが、行先階釦２０が、各階の乗場に設置される乗場操作盤であっても同様に機能する。
【図面の簡単な説明】
【００２５】
【図１】この発明の実施の形態１におけるエレベータのかご操作盤の正面図。
【図２】この発明の実施の形態１における第２柱面６ｂを露出させたエレベータのかご操作盤の正面図。
【図３】図１のＩＩＩ−ＩＩＩ線断面を矢視したかご操作盤の縦断面図。
【図４】図１のＩＶ−ＩＶ線断面を矢視したかご操作盤の横断面図。
【図５】この発明の実施の形態１における三角柱５の斜視図。
【図６】この発明の実施の形態１における三角柱５の回動を示す説明用図。
【図７】この発明の実施の形態２におけるエレベータのかご操作盤の横断面図。
【図８】この発明の実施の形態２における三角柱５５の斜視図。
【図９】この発明の実施の形態３におけるエレベータのかご操作盤の正面図。
【図１０】この発明の実施の形態３におけるエレベータのかご操作盤の横断面図。
【図１１】この発明の実施の形態３における行先階釦２０の表示態様を示す開口部の正面図。
【図１２】この発明の実施の形態３における行先階釦２０の表示態様を示す開口部の正面図。
【図１３】従来のエレベータのかご操作盤の正面。
【符号の説明】
【００２６】
１  かご操作盤、  ２  ケース、  ３  フェースプレート、  ４  開口、  ５  三角柱、  ６ａ  第１柱面、  ６ｂ  第２柱面、  ６ｃ  第３柱面、  ７  上板、  ８  底板、  ９  電動機、  １０  ブラケット、  １１  回転軸、  １２  軸支え、  １３  制御部、  １４  、  １５  取付金、  １６  ねじ、  １７  リード線、  ２０  行先階釦、  ２１  第１釦列、  ２２  第２釦列、  ２３  第３釦列、  ２４  第４釦列、  ２５  第５釦列、  ２６  第６釦列、  ２７ａ  回転体操作釦、  ２７ｂ  回転体操作釦、  ２７ｃ  回転体操作釦、  ２８ａ  説明板、  ２８ｂ  説明板、  ２８ｃ  説明板、  ３１  インターホン釦、  ３２  スピーカ、  ３３  戸閉釦、  ３４  戸開釦、  ３５  スイッチボックス、  ５４  かご操作盤、  ５５  三角柱、  ５６ａ  第１柱面、  ５６ｂ  第２柱面、  ５６ｃ  第３柱面、  ５７  隅柱、  ６１  かご操作盤、  ６２  回転体操作釦、  ６３  回転体操作釦、  ６５  円筒柱、  ６６ａ  第１柱面、  ６６ｂ  第２柱面、  ６７  上板、  ６８  底板、  ６９  取付金、  ７０  皿ねじ、  ７１  第１釦列、  ７２  第２釦列、  ７３  第３釦列、  ７４  第４釦列、  ７５  第５釦列、  ７６  第６釦列、  ７７  第７釦列、  ７８  第８釦列。
【図１】
2006240789.tif 000003
【図２】
2006240789.tif 000004
【図３】
2006240789.tif 000005
【図４】
2006240789.tif 000006
【図５】
2006240789.tif 000007
【図６】
2006240789.tif 000008
【図７】
2006240789.tif 000009
【図８】
2006240789.tif 000010
【図９】
2006240789.tif 000011
【図１０】
2006240789.tif 000012
【図１１】
2006240789.tif 000013
【図１２】
2006240789.tif 000014
【図１３】
2006240789.tif 000015